(57)【要約】【課題】用途に応じたデザイン変更が簡易にできる照明装飾具を提供する。【解決手段】照明装飾具１は、光源４が設けられた本体５と、前記光源４から離間した位置で、前記光源４の発光側を覆う湾曲形状の透光性のカバー部材２と、前記カバー部材２と前記光源４との間に挿入されるデザインフィルム７とを備え、前記デザインフィルム７は、湾曲させると元に戻ろうとする弾性回復力を有する素材で平面状に形成され、且つ、少なくとも一方の面に模様となるデザインが施されている。【選択図】図４
2018085218.tif 000002
【特許請求の範囲】
【請求項１】
光源が設けられた本体と、
前記光源から離間した位置で、前記光源の発光側を覆う湾曲形状の透光性のカバー部材と、
前記カバー部材と前記光源との間に挿入されるフィルムと
を備え、
前記フィルムは、湾曲させると元に戻ろうとする弾性回復力を有する素材で形成され、且つ、少なくとも一方の面に模様となるデザインが施されている
照明装飾具。
【請求項２】
前記フィルムは、平面状に形成されており、
前記本体または前記カバー部材に、前記フィルムの形状を湾曲形状に保持する保持手段を備えた
請求項１記載の照明装飾具。
【請求項３】
前記フィルムを前記カバー部材と前記光源との間に挿入可能な開状態と挿入できない閉状態に切り替える開閉部を備えた
請求項１または２記載の照明装飾具。
【請求項４】
前記フィルムの少なくとも片面にはインクによるデザインが施されており、
前記インクには、印刷後に曲げても加飾部に影響のない伸縮が可能な柔軟性の有る材料が用いられる
請求項１から３の何れかに記載の照明装飾具。
【請求項５】
前記フィルムは、前記カバー部材の内面に沿うように配置された
請求項１から４の何れかに記載の照明装飾具。
【請求項６】
前記フィルムと前記カバー部材の対向する面同士が当接しない
請求項１から４の何れかに記載の照明装飾具。
【請求項７】
請求項１から６のいずれかに記載の照明装飾具に用いられる
フィルム。
【発明の詳細な説明】
【技術分野】
【０００１】
この発明は、文字や図形などの模様が現われる照明を行うような照明装飾具に関する。
【背景技術】
【０００２】
従来、様々な照明器具が利用されており、特に、オフィスビルや各種施設等の天井に蛍光灯が用いられている。この蛍光灯は大きさや形状が定まっており、同じ大きさおよび形状で多数利用されている。
【０００３】
近年、このような蛍光灯について、ＬＥＤを用いたＬＥＤ蛍光灯が提案されている（特許文献１参照）。このようなＬＥＤ蛍光灯は、光源としてＬＥＤを使用しつつ、大きさおよび形状は従来の蛍光灯と同じように構成されている。これにより、従来のオフィスビルや各種施設等に蛍光灯の代わりにＬＥＤ蛍光灯を使用することが可能となる。
【０００４】
しかしながら、このように広く使用される蛍光灯ではあっても、文字や図形等を表示できるようなものは提供されていなかった。
【先行技術文献】
【特許文献】
【０００５】
【特許文献１】特開２０１０−０９２９９０号公報
【発明の概要】
【発明が解決しようとする課題】
【０００６】
この発明は、上述の現状に鑑みて、文字や図形等を表示できる照明装飾具を提供することを目的とする。
【課題を解決するための手段】
【０００７】
この発明は、光源が設けられた本体と、前記光源から離間した位置で、前記光源の発光側を覆う湾曲形状の透光性のカバー部材と、前記カバー部材と前記光源との間に挿入されるフィルムとを備え、前記フィルムは、湾曲させると元に戻ろうとする弾性回復力を有する素材で形成され、且つ、少なくとも一方の面に模様となるデザインが施されている照明装飾具であることを特徴とする。
【発明の効果】
【０００８】
この発明により、用途に応じたデザイン変更が簡易にできる照明装飾具を提供できる。
【図面の簡単な説明】
【０００９】
【図１】照明装飾具の説明図。
【図２】照明装飾具の説明図。
【図３】照明装飾具およびデザインシートの説明図。
【図４】照明装飾具の写真による説明図。
【図５】実施例２の照明装飾具の説明図。
【発明を実施するための形態】
【００１０】
発明者らは、蛍光灯に文字、図形、イラスト、写真、またはこれらの結合（以下、これらを総称して模様という）を表した蛍光灯型の照明装飾具を作成することを着想した。この照明装飾具を実現するに際して、まず、円筒形のガラス管の表面に模様を印刷することを検討した。
【００１１】
しかしながら、湾曲面に適切に印刷することは困難を極め、思うような完成品を得るには至らなかった。出願人は、通常の蛍光灯ではなく、ＬＥＤを光源として蛍光灯型に形成したＬＥＤ蛍光灯を用いて、その円筒形のカバーの表面に印刷をすることを試みたが、通常の蛍光灯と同様に印刷することは困難であった。
【００１２】
インクジェット印刷やスクリーン印刷など、様々な印刷方法を検討したが、円筒形の表面に印刷することがどうしてもうまくいかなかったため、開発は一旦中断した。
【００１３】
しばらくして、発明者らは、ＬＥＤ蛍光灯は、通常の蛍光灯と異なり内部に適宜の物体を挿入することが可能であることに気づき、円筒形のカバー内部に模様を付すことを考えた。そして、平面状のフィルム等に印刷をし、その印刷したフィルム等を円筒形のカバー内に挿入する方法で、試行錯誤をした結果、本発明を完成させた。  
以下、この発明の一実施形態を図面と共に説明する。
【実施例１】
【００１４】
図１および図２は、ＬＥＤを用いた蛍光灯型の照明装飾具１の説明図であり、図３は、照明装飾具１およびデザインフィルム７の説明図である。図１（Ａ）は照明装飾具１の正面図、図１（Ｂ）は照明装飾具１の一部を省略した拡大正面図、図１（Ｃ）は照明装飾具１の一部を省略した拡大縦断面図、図２（Ａ）は照明装飾具１の底面図、図２（Ｂ）は照明装飾具１の右側面図、図２（Ｃ）は照明装飾具１の平面図、図２（Ｄ）は照明装飾具１の左側面図、図３（Ａ）は照明装飾具１の拡大縦断端面図、図３（Ｂ）は平面状のデザインフィルム７の拡大縦断面図、図３（Ｃ）は湾曲状のデザインフィルム７の拡大縦断面図である。
【００１５】
照明装飾具１は、円筒状で透光性の合成樹脂製のカバー部材２で覆われている。このカバー部材２の透光性は、透明または半透明とすることができ、半透明の場合には乳白色とすることができる。カバー部材２の下半分からは、内部に装填されたデザインフィルム７に施された模様が透けて見えている。カバー部材２の両端を、有底の略円筒状で端部３ｄに向けて３段階に縮径された同じく合成樹脂製の口金３が開閉可能にキャップしている。それぞれの口金３の端部３ｄには、カバー部材２の軸心方向で外方に突出する平行な一対の金属製の端子ピン３ａが設けられている。この端子ピン３ａから照明装飾具１に電力が供給される。
【００１６】
照明装飾具１は、蛍光灯と外形がほぼ同じで、口金形状、長さ等構造的に互換性を持たせてある。例えば、照明装飾具１は、軸心方向の全体の長さが１１９８ｍｍであり、外径が３１ｍｍである。
【００１７】
図３（Ａ）に示すように、照明装飾具１のカバー部材２の内面２０には、ガイドレール２ｅ（２ｆ）が左右に対向して設けられている。このガイドレール２ｅ（２ｆ）は、軸心方向に対して平行に延伸し並立する上壁２ａ（２ｃ）と下壁２ｂ（２ｄ）により構成されている。ここでは、下壁２ｂ（２ｄ）の下面２１（２２）は、カバー部材２の断面の水平方向の直径線上に位置している。また、下面２１から下面２２に至るまでの内面２０ａは、下面２１と交差部２１ａで交差し、下面２２と交差部２２ａで交差している。
【００１８】
カバー部材２に囲まれた空間内には、矩形状で板状の基板５が、上壁２ａ（２ｃ）と下壁２ｂ（２ｄ）との隙間に嵌め入れられ、左右のガイドレール２ｅ（２ｆ）に支持されて配置されている。この基板５は、表面５ａに複数のＬＥＤ４が整列して配置されている。
【００１９】
基板５の裏面５ｂと対向するカバー部材２の内面２０ｂとで囲まれた空間内には、ＬＥＤ４に電力を供給するための電源（図示省略）や、ＬＥＤ４と電源とを接続する配線（図示省略）、放熱用のヒートシンク等で構成される背面ユニット９が格納されている。
【００２０】
カバー部材２に囲まれた空間内には、ＬＥＤ４が搭載された基板５の表面５ａに対向するようにして、デザインフィルム７が配置されている。ＬＥＤ４は、デザインフィルム７に向かって光を照射する。ＬＥＤ４は、カバー部材２の軸心に沿って、基板５の表面５ａの中心線上に１または複数個配列されている。尚、ＬＥＤ４は、中心線を挟んで２列、あるいは中心線を含む３列等、複数列に配列してもよい。各ＬＥＤ４は、デザインフィルム７に向かって全体としてムラなく均一に光を照射するように配置するのが好ましい。
【００２１】
図３（Ａ）に示すように、デザインフィルム７は、交差部２１ａから交差部２２ａに至るまでの内面２０ａに沿うようにして配置されている。
【００２２】
より具体的には、図３（Ｂ）に示すように、デザインフィルム７は、フィルム７ａの片面にインク７ｂが塗布されて（すなわち印刷が施されて）構成されている。フィルム７ａは、湾曲させると元に戻ろうとする弾性回復力を有する、元来は平面状のフィルムである。デザインフィルム７およびフィルム７ａの弾性回復力は、例えば、短手方向の長さの半分程度を水平に手で持って残り半分を自由にした際に、自由となる残り半分がそのまま水平にあるが指で押すなどの外力を加えると湾曲する程度、あるいは、何も外力を加えずとも重力によってすこし湾曲して下がるがカバー部材２の内面２０の湾曲率ほどは湾曲しない程度とすることが好ましい。これにより、カバー部材２の内側への挿入しやすさと挿入後の形状安定性を両立することができる。インク７ｂは、デザインフィルム７の材質もしくは表面コートとの関係から適宜選択されるが、印刷後に曲げても加飾部に影響のない、伸縮が可能な柔軟性の有るインクを用いるのが好ましい。これにより、印刷後にデザインフィルム７を湾曲させてもインク７ｂがひび割れ等ではがれることを防止できる。例えば、ミマキエンジニアリング製  ＵＶ硬化インク  ＬＨ−１００は、白色ベース  ダイヤミック製  ダイヤＩＪ−バックリットフィルムＥＳ  （基材ＰＥＴ  ２０５ミクロン）や、透明ベース  東洋クロス製  ＡＣ−ＰＥＴ  ＃１２５  （基材ＰＥＴ  １２５ミクロン）等のフィルムへのインクジェット印刷に用いるのに好適である。
【００２３】
デザインフィルム７は、略長方形（例えば長辺または／及び短辺に切り抜き部や突出部が設けられているが全体として略長方形と見える形状を指す）に形成されればよい。デザインフィルム７の長辺の長さは、カバー部材２の長手方向（軸方向）の長さに対して８０％以上とすることができ、９０％以上とすることが好ましく、９５％以上とすることがより好ましい。また、デザインフィルム７の長辺の長さは、１１０％未満とすることができ、１０５％未満とすることが好ましく、１００％未満とすることがより好ましい。なお、このデザインフィルム７の長辺の長さの条件は、長手方向に複数のデザインフィルムを並べてひとまとまりのデザインフィルム７とする場合であれば、この複数のデザインフィルムの長辺の合計長さが上記条件となるように構成すると良い。また、デザインフィルム７の短辺の長さは、交差部２１ａから交差部２２ａに至るまでの内面２０ａに沿った長さに対して８０％以上とすることができ、９０％以上とすることが好ましく、９５％以上とすることがより好ましい。また、デザインフィルム７の短辺の長さは、交差部２１ａから交差部２２ａに至るまでの内面２０ａに沿った長さに対して１１０％未満とすることができ、１０５％未満とすることが好ましく、１００％未満とすることがより好ましい。
【００２４】
この実施例では、矩形状で、長辺の長さがカバー部材２の長手方向（軸方向）の長さと同一よりわずかに短く、短辺の長さが交差部２１ａから交差部２２ａに至るまでの内面２０ａに沿った長さより若干短く成形されている（図３（Ａ）参照）。すなわち、短辺の長さは、ここでは、カバー部材２の断面の内周の約１／２とほぼ同じかもしくは僅かに短くなっている。
【００２５】
このような照明装飾具１を作成するに際して、デザインフィルム７は、図３（Ｂ）に示すように、平面状のフィルム７ａに、インク７ｂが塗布されて構成されている。そして、図３（Ｃ）に示すように、デザインフィル７は、湾曲させた状態で利用される。
【００２６】
カバー部材２の内部にデザインフィルム７を配置するに当たって、まず、一方の口金３を取り外した状態で、デザインフィルム７を、デザインフィルム７自身が持つ弾性回復力に抗して、長辺に平行な軸回りに湾曲、すなわちカバー部材２の内面形状と同様に湾曲させる。ここでは、下方に凸状となるように湾曲させている。次に、こうして湾曲したデザインフィルム７の一方の短辺を内面２０ａの内側空間に挿入する。このとき、デザインフィルム７のインク７ｂの面が内面２０ａに接触するようにして、２つの長辺側縁部７２（図１（Ｂ）参照）を、カバー部材２の一方の開口に露出する交差部２１ａ（図３（Ａ）参照）および交差部２２ａに当接させる。その後、２つの長辺側縁部７２が交差部２１ａおよび交差部２２ａ上をスライドするようにして、カバー部材２内にデザインフィルム７を挿入し、所定の位置に配置する。
【００２７】
これにより、図３（Ａ）に示すように、交差部２１ａから交差部２２ａに至るまでの内面２０ａに沿うような形状（湾曲形状）にデザインフィルム７を配置することができる。なお、インク７ｂの面が内面２０ａに接触しないように裏向きに挿入する構成としてもよい。この場合、インク７ｂによる模様等の印刷を表裏逆転して印刷しておくと良い。
【００２８】
デザインフィルム７のこのような湾曲形状は、デザインフィルム７自身の弾性回復力と、湾曲形状を保持するために当該弾性回復力に抗して２つの長辺側縁部７２を支持する交差部２１ａ（保持手段）および交差部２２ａ（保持手段）が存在することにより実現できている。
【００２９】
尚、図３（Ａ）に示すように、デザインフィルム７の短辺の長さを、交差部２１ａから交差部２２ａまでの直線距離（ここでは、内径）より十分長いが、交差部２１ａから交差部２２ａに至るまでの内面２０ａに沿った長さＬ（図示省略）より少し短くしてもよい。この場合、デザインフィルム７と内面２０ａとの間に隙間２を設けることができる。照明装飾具１の使用環境は様々であり、温度変化が大きい場合もある。このため、例えば、デザインフィルム７が熱膨張し、長辺側縁部７２以外の部分で内面２０ａとデザインフィルム７とが当接し湾曲形状に変形を生じさせるようなことも起こり得る。しかし、この隙間を設けたことにより、こうした事態を回避することができる。以上より、短辺の長さは、Ｌの０．９〜１．０倍が好ましい。より詳しくは、短辺の長さは、管内径寸法×π（３．１４）×［フィルム設置範囲角度／３６０］×［０．９〜１．０］により求められる長さとすることが好ましい。ここで、０．９〜１．０は、フィルム素材の伸び率および設置性を考慮して定めると良い。
【００３０】
また、例えば、長辺の短いデザインフィルム７を複数枚直列に並べて、カバー部材２内に挿入するようにしてもよい。
【００３１】
以上の構成により、照明装飾具１は、内部の基板５上のＬＥＤ４が対向するデザインフィルム７に光を照射する。照射された光は、透光性のデザインフィルム７を透過し、さらに、同じく透光性のカバー部材２の内面２０ａを含む部分を透過して、照明装飾具１外に放出される。これにより、デザインフィルム７に施された模様、色彩等によるデザインが、夜間でも明るく映し出される。
【００３２】
＜フィルムの詳細＞
デザインフィルム７は、透光性であって、弾性回復力を有する平面状のものを使用する。デザインフィルム７は、高分子材料を主な原料とする、例えば、アイオノマーフィルム（ＩＯフィルム）、ポリエチレンフィルム（ＰＥフィルム）、ポリ塩化ビニルフィルム（ＰＶＣフィルム）、ポリ塩化ビニリデンフィルム（ＰＶＤＣフィルム）、ポリビニルアルコールフィルム（ＰＶＡフィルム）、ポリプロピレンフィルム（ＰＰフィルム（ＣＰＰフィルム、ＯＰＰフィルム（製法の違いによる）））、ポリエステルフィルム（ＰＥＴフィルム）、ポリカーボネートフィルム（ＰＣフィルム）、ポリスチレンフィルム（ＰＳフィルム）、ポリアクリロニトリルフィルム（ＰＡＮフィルム）、エチレン酢酸ビニル共重合体フィルム（ＥＶＡフィルム）、エチレン‐ビニルアルコール共重合体フィルム（ＥＶＯＨフィルム）、エチレン‐メタクリル酸共重合体フィルム（ＥＭＡＡフィルム）、ナイロンフィルム（ＮＹフィルム）、ポリアミドフィルム（ＰＡフィルム）、およびセロファンの何れかを使用してもよく、また、これらの幾つかを積層した多層構造のフィルムを使用してもよい。
【００３３】
また、これらの素材によるデザインフィルム７の肉厚は、１００μｍ〜５００μｍとすることが好ましく、より具体的には、フィルムベースであれば１００〜１８８μｍとすることが好ましく、不織布であれば１６０〜３００μｍとすることが好ましく、紙ベースであれば１１０〜２１０μｍとすることが好ましく、印画紙ベースの光沢系メディアであれば１８０〜１９０μｍとすることが好ましく、紙ベースの光沢系メディアであれば２２０μｍとすることが好ましく、合成紙・塩ビベースのマット系メディアであれば１２０〜１４５μｍとすることが好ましく、フィルムベースの光沢・透明メディアであれば１３０〜１３５μｍとすることが好ましく、フィルムベースの電飾系メディアであれば１３０〜１４０μｍとすることが好ましく、塩ビシリーズであれば８０〜１３０μｍとすることが好ましく、塩ビ電飾・透明シリーズであれば１０５〜１７０μｍとすることが好ましく、特殊紙シリーズであれば１００〜２３０μｍとすることが好ましく、特殊フィルムシリーズであれば１５５〜５２０μｍとすることが好ましく、ポリエステルシリーズであれば８５〜１５０μｍとすることが好ましい。
【００３４】
デザインフィルム７は、透光性であればよく、透明なものから半透明のものまでデザインに合わせたものを使用することができる。
【００３５】
また、弾性回復力の強さ（コシの強さ）の点からも、ＰＥフィルムやＥＶＡフィルムの使用は好ましく、ＣＰＰフィルムやＯＰＰフィルムの使用はより好ましく、ＰＥＴフィルムの使用が好適である。ただし、弾性回復力の強さ（コシの強さ）は、使用するデザインフィルム７の材質のみならず、厚さにも依存する。概ね８０〜５２０ミクロンが厚さについての好ましい範囲である。尚、ＰＥＴフィルムを使用する場合には、その厚さは１２５〜２２０ミクロンの範囲が好適である。
【００３６】
イベント等で屋外で使用する場合には、太陽光や温度変化などに対し、変質や劣化を起こしにくい対候性のあるフィルムが好ましい。この点、ＰＰフィルムは好ましく、ＰＥフィルムはより好ましく、ＰＥＴフィルムは好適である。
【００３７】
尚、コストを重視した用途に対しては、ＰＥＴフィルム、ＰＶＣフィルムや合成紙の使用が好ましい。
【００３８】
デザインフィルム７の表面および裏面の少なくとも一方の面に、模様、色彩等によるデザインが施されている。
【００３９】
デザインされた模様、色彩等は、デザインフィルム７面への印刷によるものであっても、デザインフィルム７面に凹凸の成形を加えたものであっても、その両方であってもかまわない。さらには、デザインフィルム７全体の弾性回復力が一定以上に維持される限りにおいて、デザインフィルム７の表面から裏面に貫通する孔がデザインの一部として存在してもよい。
【００４０】
デザインフィルム７の面への印刷は、インクジェット印刷、スクリーン印刷、グラビア印刷、およびオフセット印刷の何れの印刷も用いることができる。デザインフィルム７は平面状であるため、デザインフィルム７の面への印刷は、特殊な装置を使用することなく簡易に実施することができる。同様に、デザインフィルム７の面に凹凸の成形を加えることも容易である。
【００４１】
以上の構成により、平面状のデザインフィルム７を使用することができるため、複雑で精緻なデザインであっても、特殊な装置を用いることなく簡易に作成することができる。できあがったデザインフィルム７入りの照明装飾具１は、図４（Ａ１）の消灯時写真および図４（Ｂ１）の消灯時拡大写真に示すように消灯時でもデザインフィルム７の模様等（写真の例では文字）が視認されるが、発光させると、図４（Ａ２）と図４（Ａ３）の点灯時写真および図４（Ｂ２）と図４（Ｂ３）の点灯時拡大写真に示すようにより明瞭に模様等が視認される。カバー部材２を透明素材とし、デザインフィルム７を半透明に構成した場合には、図４（Ａ２）および図４（Ｂ２）に示すように模様等が非常に明瞭に視認される。カバー部材２を半透明素材とし、デザインフィルム７を透明に構成した場合には、図４（Ａ３）および図４（Ｂ３）に示すように模様等がぼんやりと視認される。なお、図４の照明装飾具１は、先端にコンセントを有する電源ケーブルが設けられているが、このような電源ケーブルが設けられていないタイプであっても同様である。
【００４２】
デザインフィルム７の装填に際しては、一方の口金３を取り外し、デザインフィルム７を湾曲させた状態で、長辺側縁部７２を交差部２１ａ（２２ａ）上をスライドさせてカバー部材２内に挿入すればよく、装填作業は容易である。
【００４３】
デザインフィルム７は、接着剤等を用いてカバー部材２に固定されているわけではない。デザインフィルム７自身が有する弾性回復力が長辺側縁部７２を交差部２１ａ（２２ａ）に押圧することで、デザインフィルム７はカバー部材２に固定されている。そのため、デザインフィルム７の取り外しに際しても、デザインフィルム７をカバー部材２からスライドさせて引き抜けばよく、引き抜き作業も容易である。
【００４４】
また、開閉可能な口金３を用いているため、デザインフィルム７の交換が適宜可能である。  
照明装飾具１は、蛍光灯と外形がほぼ同じである。そのため、天井や壁への設置に際して、通常の蛍光灯に用いられている設置器具を流用することができる。
【００４５】
デザインフィルム７が装填された側のカバー部材２が露出するように、天井や壁に照明装飾具１を設置することができる。これにより、デザインフィルム７にデザインされた模様を、天井や壁に対向する何れの方向からでも見ることができる。
【００４６】
照明装飾具１が風雨等に曝される環境下で使用されても、デザインフィルム７はカバー部材２で被覆されているため、デザインフィルム７上のデザインが直接損傷を受けることがない。
【００４７】
このような照明装飾具１は、例えば施設の蛍光灯に変えて取り付け、模様等のデザインによってクリスマス等のイベント用照明とする、黄色と黒色の斜線が交互に配置された模様にして工事現場等の立ち入り禁止領域を明るく明瞭に視認させる等、様々な用途に利用することができる。
【００４８】
また、デザインフィルム７を容易に交換できるため、イベントやデザイン毎にデザインを変更する、使用するシーンに応じてデザインを変更するといったことが容易にできる。
【００４９】
また、デザインフィルム７は、湾曲させると元に戻ろうとする弾性回復力を有しているため、カバー部材２内へのデザインフィルム７の挿入しやすさと挿入後の変形防止性能を高めることができる。すなわち、デザインフィルム７が柔らかすぎると変形して模様が美しくなくなりやすく印刷時に変形してしまうことも発生し得、変形できないほどデザインフィルム７が硬いと長いカバー部材２内へ挿入していくに従って摩擦力も高まり完全に挿入するのが難しくなる上に様々な模様等を印刷することが困難になるが、このような問題を解決することができる。
【実施例２】
【００５０】
図５は実施例２の照明装飾具１０１の説明図であり、図５（Ａ）は拡大縦断端面図、図５（Ｂ）は拡大正面図、図５（Ｃ）は拡大平面図である。なお、右側面図、左側面図、及び平面図は、実施例１の右側面図、左側面図、及び平面図と同一に現われるため、図示省略する。  
照明装飾具１０１は、略半円筒状の基材１０２ａと、基材１０２ａの平面部を外側から覆うように配置された略蒲鉾形で透光性のカバー部材１０２とを備えている。
【００５１】
カバー部材１０２の直線状縁部の内面１２０ａには、ガイドレール１０２ｅ（１０２ｆ）が左右に対向して設けられている。このガイドレール１０２ｅ（１０２ｆ）は、軸心方向に対して平行に延伸する側壁１０２ｂ（１０２ｄ）により構成されている。ここでは、側壁１０２ｂ（１０２ｄ）の下面１２１（１２２）は、カバー部材１０２の断面の水平方向の直径線上に位置している。また、下面１２１から下面１２２に至るまでの内面１２０ａは、下面１２１と交差部１２１ａで交差し、下面１２２と交差部１２２ａで交差している。
【００５２】
基材１０２ａの曲面部であって平面部と交差する部分に、軸心に向かって凹状の溝が形成されている。そして、基材１０２ａの当該溝には、カバー部材１０２の側壁１０２ｂ（１０２ｄ）が嵌め合わされ、基材１０２ａとカバー部材１０２とが連結されている。
【００５３】
基材１０２ａの平面部の端部とカバー部材１０２との間には、デザインフィルム７を挿入することのできる隙間が形成されている。デザインフィルム７は、当該隙間を介して２つの長辺側縁部７２（図１（Ｂ）参照）を交差部１２１ａおよび交差部１２２ａに当接させて、カバー部材１０２に配置されている。
【００５４】
尚、デザインフィルム７は、デザインフィルム７自身の弾性回復力と、当該弾性回復力に抗して２つの長辺側縁部７２を支持する交差部１２１ａおよび交差部１２２ａの存在により、湾曲形状を形成している。
【００５５】
基材１０２ａの平面部には、カバー部材１０２に対向する表面にＬＥＤ４を配置している。カバー部材１０２には、ＬＥＤ４が搭載された基材１０２ａの平面部の表面に対向するようにして、デザインフィルム７が配置されている。
【００５６】
以上の構成により、照明装飾具１０１は、ＬＥＤ４が、対向するデザインフィルム７に光を照射する。照射された光は、透光性のデザインフィルム７を透過し、さらに、同じく透光性のカバー部材１０２を透過して、照明装飾具１０１外に放出される。  
尚、基材１０２ａは、必ずしも透光性の素材で形成する必要はない。
【００５７】
尚、本願発明と実施形態の対応において、
光源は、ＬＥＤ４に対応し、
本体は、基板５に対応し、
保持手段は、交差部２１ａ（２２ａ）に対応し、
開閉部は、口金３に対応するが、
この発明は本実施形態に限られず他の様々な実施形態とすることができる。
【００５８】
例えば、電源をカバー部材２の外に配置し、基板５の裏面５ｂの側にも新たにＬＥＤ４を搭載し、そして、カバー部材２の内面２０ｂに沿って新たなデザインフィルム７を配置するようにしてもよい。その際、カバー部材２の内面２０ｂを含む部分（上半分）は、内面２０ａを含む部分（下半分）と同様に透光性の部材を用いる。
【００５９】
以上の構成により、基板５の表面５ａおよび裏面５ｂに搭載されたＬＥＤ４が発する光は、それぞれ対向するデザインフィルム７に照射され、上下のカバー部材２を透過して、照明装飾具１外に放出される。これにより、例えば、照明装飾具１を地面に立てて設置した場合には、デザインフィルム７上にデザインされた模様等を、夜間であっても、カバー部材２の軸心の周りの何れからでも視認できる。このため、安全灯等の利用に好適である。
【００６０】
また、デザインフィルム７は、フィルム７ａの片面にインク７ｂにより印刷することで模様等を表したが、適宜の模様等に切り抜くことで模様を表すなど、適宜の構成とすることができる。この場合も同様の作用効果を奏することができる。
【００６１】
また、一方の口金３の端部３ｄに繋がる３段目の円筒側面には、電源ケーブルを通す孔を設け、当該孔から先端にプラグ（図示せず）の付いた電源ケーブルを突出させる構成としてもよい。この場合は、プラグをコンセントに接続することで使用できる照明装飾具１を提供できる。
【産業上の利用可能性】
【００６２】
この発明は、照明装飾具の産業に利用することができる。
【符号の説明】
【００６３】
１…照明装飾具
２…カバー部材
２ｅ、２ｆ…ガイドレール
２１ａ、２２ａ…交差部
３…口金
４…ＬＥＤ
５…基板
７…デザインフィルム
【図１】
2018085218.tif 000003
【図２】
2018085218.tif 000004
【図３】
2018085218.tif 000005
【図４】
2018085218.tif 000006
【図５】
2018085218.tif 000007